【手続補正書】
【提出日】平成24年6月13日(2012.6.13)
【手続補正１】
【補正対象書類名】特許請求の範囲
【補正対象項目名】全文
【補正方法】変更
【補正の内容】
【特許請求の範囲】
【請求項１】
光学系の光路中に用いられ、該光学系を通過する光量を調節するための絞り装置において、該絞り装置は３枚以上の絞り羽根と、前記３枚以上の絞り羽根を光軸に対し垂直方向に直進移動可能に支持する地板と、前記３枚以上の絞り羽根に連結して回転運動する駆動レバーと、前記駆動レバーを回動させる絞り駆動源とを有し、前記３枚以上の絞り羽根のうち、同一方向に直進移動する複数の絞り羽根は開口縁の開口形状が異なり、これらの開口縁と、前記同一方向とは反対方向に直進移動する少なくとも一枚の絞り羽根の開口縁とで、多角形の開口部を形成し、前記同一方向に移動する複数の絞り羽根は、絞り開放から絞り全閉までの移動量および移動速度が異なり、これらの複数の絞り羽根のうち、移動量が大きく速い速度で移動する絞り羽根は、移動量が小さく遅い速度で移動する絞り羽根の開口縁と平行な開口縁を持ち、該絞り開放から該絞り羽根を動作させて前記絞り羽根の開口縁のみで多角形の開口部が形成される基準絞り値から、開口部が小さくなる方向の特定絞り値までの範囲では、前記同一方向に直進移動する複数の絞り羽根の開口縁と、前記同一方向とは反対方向に直進移動する少なくとも一枚の絞り羽根の開口縁とで、多角形の開口部を構成し、特定の絞り値から絞り全閉までの範囲では、互いに反対方向に移動する二枚の絞り羽根の開口縁にて開口部を形成することを特徴とする絞り装置。
【請求項２】
光学系の光路中に用いられ、開口部の大きさを変化させて前記光学系を通過する光量を調節する絞り装置であって、
前記光学系の光軸に対し垂直な第１方向に直進移動する複数の絞り羽根と、
前記第１方向とは反対方向である第２方向に直進移動する少なくとも１枚の絞り羽根と、を有し、
前記第１方向に直進移動する複数の絞り羽根の開口縁と前記第２方向に直進移動する少なくとも１枚の絞り羽根の開口縁とで前記開口部を形成し、
前記第１方向に移動する複数の絞り羽根のうちの２枚の絞り羽根において、一方の絞り羽根が他方の絞り羽根に比べ前記第１方向に移動する際の移動量が大きく、且つ、移動速度が速く、
前記一方の絞り羽根と前記他方の絞り羽根とは、互いに異なる開口縁の形状を有しつつ、互いに平行な開口縁を一部含み、
絞り開放から前記開口部の大きさが小さくなるように前記第１方向に直進移動する複数の絞り羽根と前記第２方向に直進移動する少なくとも１枚の絞り羽根とを移動させた際に、前記第１方向に直進移動する複数の絞り羽根の開口縁と前記第２方向に直進移動する少なくとも１枚の絞り羽根の開口縁とで五角形以上の所定の多角形の開口部を形成する区間を有し、
さらに前記開口部の大きさが小さくなるように前記第１方向に直進移動する複数の絞り羽根と前記第２方向に直進移動する少なくとも１枚の絞り羽根とを移動させた際に、前記一方の絞り羽根の開口縁と前記第２方向に直進移動する少なくとも１枚の絞り羽根のうちの１枚の絞り羽根の開口縁とで前記所定の多角形の開口部を形成する区間を有することを特徴とする絞り装置。
【請求項３】
前記光軸に対し垂直な第１方向に直進移動する絞り羽根と前記第２方向に直進移動する絞り羽根の枚数はそれぞれ２枚であり、
前記第２方向に移動する２枚の絞り羽根において、一方の絞り羽根が他方の絞り羽根に比べ前記第２方向に移動する際の移動量が大きく、且つ、移動速度が速く、
絞り開放から前記開口部の大きさが小さくなるように前記第１方向に直進移動する２枚の絞り羽根と前記第２方向に直進移動する２枚の絞り羽根とを移動させた際に、前記第１方向に直進移動する２枚の絞り羽根の開口縁と前記第２方向に直進移動する２枚の絞り羽根の開口縁とで六角形の開口部を形成する区間を有し、さらに前記開口部の大きさが小さくなるように前記第１方向に直進移動する２枚の絞り羽根と前記第２方向に直進移動する２枚の絞り羽根とを移動させた際に、前記第１方向に移動する際の移動量が大きく、且つ、移動速度が速い１枚の絞り羽根の開口縁と前記第２方向に移動する際の移動量が大きく、且つ、移動速度が速い１枚の絞り羽根の開口縁とで六角形の開口部を形成する区間を有することを特徴とする請求項２に記載の絞り装置。
【請求項４】
前記光軸に対し垂直な第１方向に直進移動する絞り羽根と前記第２方向に直進移動する絞り羽根の枚数はそれぞれ２枚であり、
前記第２方向に移動する２枚の絞り羽根において、一方の絞り羽根が他方の絞り羽根に比べ前記第２方向に移動する際の移動量が大きく、且つ、移動速度が速く、
絞り開放から前記開口部の大きさが小さくなるように前記第１方向に直進移動する２枚の絞り羽根と前記第２方向に直進移動する２枚の絞り羽根とを移動させた際に、前記第１方向に直進移動する２枚の絞り羽根の開口縁と前記第２方向に直進移動する２枚の絞り羽根の開口縁とで八角形の開口部を形成する区間を有し、さらに前記開口部の大きさが小さくなるように前記第１方向に直進移動する２枚の絞り羽根と前記第２方向に直進移動する２枚の絞り羽根とを移動させた際に、前記第１方向に移動する際の移動量が大きく、且つ、移動速度が速い１枚の絞り羽根の開口縁と前記第２方向に移動する際の移動量が大きく、且つ、移動速度が速い１枚の絞り羽根の開口縁とで八角形の開口部を形成する区間を有することを特徴とする請求項２に記載の絞り装置。
【請求項５】
前記光軸に対し垂直な第１方向に直進移動する絞り羽根の枚数は２枚であり、前記第２方向に直進移動する絞り羽根の枚数は１枚であり、
絞り開放から前記開口部の大きさが小さくなるように前記第１方向に直進移動する２枚の絞り羽根と前記第２方向に直進移動する１枚の絞り羽根とを移動させた際に、前記第１方向に直進移動する２枚の絞り羽根の開口縁と前記第２方向に直進移動する１枚の絞り羽根の開口縁とで五角形の開口部を形成する区間を有し、さらに前記開口部の大きさが小さくなるように前記第１方向に直進移動する２枚の絞り羽根と前記第２方向に直進移動する１枚の絞り羽根とを移動させた際に、前記第１方向に移動する際の移動量が大きく、且つ、移動速度が速い１枚の絞り羽根の開口縁と前記第２方向に直進移動する１枚の絞り羽根の開口縁とで五角形の開口部を形成する区間を有することを特徴とする請求項２に記載の絞り装置。
【請求項６】
前記開口部の形状が相似形状を維持したまま、前記第１方向に直進移動する複数の絞り羽根の開口縁と前記第２方向に直進移動する少なくとも１枚の絞り羽根の開口縁とで五角形以上の所定の多角形の開口部を形成する区間から、前記一方の絞り羽根の開口縁と前記第２方向に直進移動する少なくとも１枚の絞り羽根のうちの１枚の絞り羽根の開口縁とで前記所定の多角形の開口部を形成する区間へ移行することを特徴とする請求項２に記載の絞り装置。
【請求項７】
前記光軸に対し垂直な第１方向に直進移動する複数の絞り羽根と前記第２方向に直進移動する少なくとも１枚の絞り羽根とを前記光軸に対し垂直な方向に直進移動可能に支持する地板と、
前記光軸に対し垂直な第１方向に直進移動する複数の絞り羽根と前記第１方向とは反対方向である第２方向に直進移動する少なくとも１枚の絞り羽根とに連結して回動する駆動レバーと、
前記駆動レバーを回動させる絞り駆動源と、を有することを特徴とする請求項２に記載の絞り装置。
【請求項８】
請求項１乃至７のいずれか１項に記載の絞り装置を有するレンズ鏡筒。
【請求項９】
請求項８に記載のレンズ鏡筒を有する撮像装置。
【手続補正２】
【補正対象書類名】明細書
【補正対象項目名】０００８
【補正方法】変更
【補正の内容】
【０００８】
本発明に係る絞り装置の代表的な構成は、光学系の光路中に用いられ、該光学系を通過する光量を調節するための絞り装置において、該絞り装置は３枚以上の絞り羽根と、前記３枚以上の絞り羽根を光軸に対し垂直方向に直進移動可能に支持する地板と、前記３枚以上の絞り羽根に連結して回転運動する駆動レバーと、前記駆動レバーを回動させる絞り駆動源とを有し、前記３枚以上の絞り羽根のうち、同一方向に直進移動する複数の絞り羽根は開口縁の開口形状が異なり、これらの開口縁と、前記同一方向とは反対方向に直進移動する少なくとも一枚の絞り羽根の開口縁とで、多角形の開口部を形成し、前記同一方向に移動する複数の絞り羽根は、絞り開放から絞り全閉までの移動量および移動速度が異なり、これらの複数の絞り羽根のうち、移動量が大きく速い速度で移動する絞り羽根は、移動量が小さく遅い速度で移動する絞り羽根の開口縁と平行な開口縁を持ち、該絞り開放から該絞り羽根を動作させて前記絞り羽根の開口縁のみで多角形の開口部が形成される基準絞り値から、開口部が小さくなる方向の特定絞り値までの範囲では、前記同一方向に直進移動する複数の絞り羽根の開口縁と、前記同一方向とは反対方向に直進移動する少なくとも一枚の絞り羽根の開口縁とで、多角形の開口部を構成し、特定の絞り値から絞り全閉までの範囲では、互いに反対方向に移動する二枚の絞り羽根の開口縁にて開口部を形成することを特徴としている。
また、本発明に係る絞り装置の他の代表的な構成は、光学系の光路中に用いられ、開口部の大きさを変化させて前記光学系を通過する光量を調節する絞り装置であって、前記光学系の光軸に対し垂直な第１方向に直進移動する複数の絞り羽根と、前記第１方向とは反対方向である第２方向に直進移動する少なくとも１枚の絞り羽根と、を有し、前記第１方向に直進移動する複数の絞り羽根の開口縁と前記第２方向に直進移動する少なくとも１枚の絞り羽根の開口縁とで前記開口部を形成し、前記第１方向に移動する複数の絞り羽根のうちの２枚の絞り羽根において、一方の絞り羽根が他方の絞り羽根に比べ前記第１方向に移動する際の移動量が大きく、且つ、移動速度が速く、前記一方の絞り羽根と前記他方の絞り羽根とは、互いに異なる開口縁の形状を有しつつ、互いに平行な開口縁を一部含み、絞り開放から前記開口部の大きさが小さくなるように前記第１方向に直進移動する複数の絞り羽根と前記第２方向に直進移動する少なくとも１枚の絞り羽根とを移動させた際に、前記第１方向に直進移動する複数の絞り羽根の開口縁と前記第２方向に直進移動する少なくとも１枚の絞り羽根の開口縁とで五角形以上の所定の多角形の開口部を形成する区間を有し、さらに前記開口部の大きさが小さくなるように前記第１方向に直進移動する複数の絞り羽根と前記第２方向に直進移動する少なくとも１枚の絞り羽根とを移動させた際に、前記一方の絞り羽根の開口縁と前記第２方向に直進移動する少なくとも１枚の絞り羽根のうちの１枚の絞り羽根の開口縁とで前記所定の多角形の開口部を形成する区間を有することを特徴とする。
また、上記絞り装置を有するレンズ鏡筒、および上記レンズ鏡筒を有する撮像装置も本発明の他の一側面を構成する。